(57)【特許請求の範囲】
【請求項１】
モーターおよびファンを有するモーター組立と、
前記ファンから送風される空気を加熱する発熱体を有するヒーター組立と、
前記モーター組立およびヒーター組立の外郭を構成するハウジングと、
前記ハウジング後方に設けられる吸気口と、
前記ハウジング内に収容され、コードを巻き取るコードリール装置と、
前記ハウジング内に収容され、マイナスイオンを発生する複数の高圧発生器とを備え、
前記複数の高圧発生器のうちの少なくとも一つは、前記コードリール装置の前記吸気口側後部の中心部に配置されることを特徴とするヘアードライヤー。
【発明の詳細な説明】
【技術分野】
【０００１】
本発明は、整髪等に使用するヘアードライヤーに関する。
【背景技術】
【０００２】
従来、例えば両手を自由に使用して髪を乾かすためにヘアードライヤーの送風方向を固定する場合、ヘアードライヤー本体とは別体の付属スタンドを使用したり（特許文献１参照）、脚部的な突起状の形状を用いて付属スタンドなしで自立させたりしている（特許文献２参照）。
【０００３】
また従来は、マイナスイオンを発生する高圧発生器を２つ搭載する場合、ヒーターの内部および外周にそれぞれ１つずつ配置するか、ヒーターの外周に２つ配置している。
【先行技術文献】
【特許文献】
【０００４】
【特許文献１】特開２０１０−７５２４８号公報
【特許文献２】特開２００５−１１１２０２号公報
【発明の概要】
【発明が解決しようとする課題】
【０００５】
しかしながら、従来の構成では、付属スタンドを使用する場合、部品点数が増加しコストが上昇してしまう問題があった。また、脚部的な突起状の形状を用いる場合、デザインの一体感を損ない、外観デザインに影響してしまう問題があった。
【０００６】
また別な問題として、２つの高圧発生器に加えてコードリール装置を搭載する場合には、２つの高圧発生器を配置するスペースの他に、コードリール装置を配置するスペースを確保する必要があることから、ヘアードライヤー本体の大きさが増大してしまったり、風の通り道に高圧発生器を配置すると風量が少なくなったりすることが懸念され、スペースを確保することが困難であるという問題があった。
【０００７】
そこで本発明は上記問題点に鑑み、付属スタンドなどの別部品を必要とせず、かつ外観デザインに影響を与えることなく送風方向を固定するように自立することができるヘアードライヤーを提供することを目的とする。
【０００８】
また本発明の第２の目的は、ヘアードライヤー本体の大きさを増大することなく２つの高圧発生器とコードリール装置とを配置し、風の通り道を遮らないことで風量に影響を与えずに高圧発生器を配置することができるヘアードライヤーを提供することにある。
【課題を解決するための手段】
【００１０】
請求項１の発明のヘアードライヤーでは、モーターおよびファンを有するモーター組立と、前記ファンから送風される空気を加熱する発熱体を有するヒーター組立と、前記モーター組立およびヒーター組立の外郭を構成するハウジングと、前記ハウジング後方に設けられる吸気口と、前記ハウジング内に収容され、コードを巻き取るコードリール装置と、前記ハウジング内に収容され、マイナスイオンを発生する複数の高圧発生器とを備え、前記複数の高圧発生器のうちの少なくとも一つは、前記コードリール装置の前記吸気口側後部の中心部に配置されることを特徴とする。
【発明の効果】
【００１２】
請求項１の発明によれば、ヘアードライヤー本体の大きさを増大することなく２つの高圧発生器とコードリール装置とを配置することができる。さらに、風の通り道を遮らないように高圧発生器を配置することができるので、風量を減少させることもない。
【図面の簡単な説明】
【００１３】
【図１】本発明の第１実施例におけるヘアードライヤーの内部を示す側面図である。
【図２】同上、図１の方向Ａから見たヒーター組立の内部を示す図である。
【図３】同上、ヘアードライヤーのハンドルが所定の角度に折り曲げられた状態を示す図である。
【図４】本発明の第２実施例におけるヘアードライヤーの内部を示す側面図である。
【発明を実施するための形態】
【００１４】
以下、添付図面を参照しつつ、本発明におけるヘアードライヤーの好ましい各実施例を説明する。
【実施例１】
【００１５】
図１〜図３は本発明の第１実施例におけるヘアードライヤーを示すものである。
【００１６】
図１に示すようにドライヤー本体１は、ほぼ筒状で、電気絶縁性の合成樹脂成形体で形成されるハウジング２を備える。ハウジング２は後部に吸気口３を有し、前部に吐出口４を有している。吐出口４にはノズル５が着脱自在にかつ回転自在に装着され、整流された空気が髪に送風されるようになっている。ハウジング２はさらに、吸気口３と吐出口４とを連通する通気路６を内部に有している。また、ハウジング２の内部には、電源コード（図示せず）を巻き取って収納するコードリール装置７が配置される。ハウジング２の中央部には、モーターおよびファン（図示せず）を有するモーター組立８が配置され、その前方には発熱体９を有するヒーター組立10が配置される。
【００１７】
さらにヒーター組立10の前方には、マイナスイオンを発生する高圧発生器11が配置される。特に図示しないが、高圧発生器11は、マイナスイオンを発生するための針状電極とその対向電極とを備える。高圧発生器11で生成した高電圧を針状電極に印加し、針状電極から対向電極に向けて電子を放出することで、空気中の酸素などをマイナスに帯電させてマイナスイオン化するようになっている。
【００１８】
ハウジング２の後部下側には、ハンドル12が回動軸13周りで回動可能に取り付けられる。ハンドル12は平坦なハンドル背面14を有する。ハンドル12は、ハウジング２と同様に、電気絶縁性の合成樹脂成形体で形成される。ハンドル12は、ハウジング２の長手方向に対して垂直に近い位置まで起立した「使用位置」で固定されるようになっている。また、ハンドル12は、起立した「使用位置」から所定の角度に折り曲げられた「スタンド位置」で固定されるようになっている。ハンドル12は、所定の角度からさらに折り曲げられ、ハウジング２の長手方向とほぼ平行になる「収納位置」で固定されるようになっている。
【００１９】
コードリール装置７は端子15、16を有する。電源コードは各端子15、16に接続される。コードリール装置７は両端部にフランジ17を有する回動自在なリール18を備え、このリール18に電源コードが取り付けられ、電源コードがリール18の外周に巻き付けられるようになっている。コードリール装置７から導出した電源コードは、ほぼ直線的にハンドル12内に導入され、ハンドル12下部の引出口19から露出する。したがって、電源コードは円滑に引き出したり巻き取ったりされることができるようになっている。端子15、16には、モーターや発熱体９、高圧発生器11などの配線が接続され、必要な電力が供給されるようになっている。
【００２０】
ハンドル12の前面には、電源の入・切を行うスライド式の操作スイッチ21が配設される。操作スイッチ21は、モーターのスイッチとなるものであり、例えば操作スイッチ21が「ＯＦＦ」の位置にある場合、モーターには通電されない。操作スイッチ21が「ＳＥＴ（弱）」、「ＤＲＹ（中）」、「ＴＵＲＢＯ（強）」の位置にある場合、モーターに通電されるとともに、モーターの駆動回転数がそれぞれの位置によって３段階で切り替えられ、風量が調整されるようになっている。また、操作スイッチ21の上方には、温風と冷風とを切り替えるスライド式の操作スイッチ22が配設される。操作スイッチ22は、発熱体９のスイッチとなるものであり、例えば操作スイッチ22が「ＨＯＴ」の位置にある場合、発熱体９に通電されて吐出口から温風が吹き出されるようになっている。操作スイッチ22が「ＣＯＯＬ」の位置にある場合、発熱体９には通電されず、吐出口４から冷風が吹き出されるようになっている。
【００２１】
図２に示すように、ハウジング２内部のヒーター組立10ては、マイカで形成される２枚の支持板25、26および支持板25、26の周囲を覆う円筒状の支持筒27を備える。２枚の支持板25、26は十文字状になるように組まれており、ドライヤー本体１が図１の姿勢にある状態で、支持板25は水平な姿勢を維持し、支持板26は垂直な姿勢を維持するように固定されている。支持板25、26には発熱体９を掛けるための溝が形成されており、支持板25、26の周囲には発熱体９が螺旋状に巻かれるように設けられている。また支持板25、26の略中央位置から後方にかけて凹部が形成されており、その凹部に高圧発生器11が収容されるようになっている。
【００２２】
図３に示すように、吸気口３は第１吸気面31および第２吸気面32の複数の吸気面を有する。第１吸気面31は、上部のハウジング２との接続位置から後方に向けて、下方に傾斜している。第２吸気面32は平坦面であり、第１吸気面31との接続位置から前方に向けて下方に傾斜している。一方、ハンドル背面14も平坦面であり、ハンドル12が所定の角度に折り曲げられた「スタンド位置」で固定される際に、ハンドル背面14および第２吸気面32が同一線上面になる構成にしている。すなわち、第２吸気面32は、ハンドル12が「スタンド位置」で固定される際に、ハンドル背面のラインＬ１と、第２吸気面のラインＬ２とが略一直線になるようにしている。ここで背面のラインＬ１は、ハンドル12を側面から見た際に、ハンドル背面14の表面に沿って形成されるラインである。また第２吸気面のラインＬ２は、吸気口３を側面から見た際に、第２吸気面32の表面に沿って形成されるラインである。
【００２３】
次に、上記構成のヘアードライヤーにおける動作を説明する。本ヘアードライヤーを使用するには、まずハンドル12を起立させて「使用位置」に固定し、引出口19から電源コードを必要長引き出して、電源プラグ（図示せず）を商用交流電源のコンセントに接続する。電源コードを引き出す際には、コードリール装置７のリール18が回動し、ぜんまいばね（図示せず）が蓄力される。操作スイッチ21を操作すると、モーターの駆動によりファンが回転し、空気が吸気口から吸い込まれる。吸い込まれた空気は、発熱体を有するヒーター組立を含む通気路を通り、吐出口から吐出する。このとき、発熱体９に通電されている場合には、空気は発熱体９により加熱され、温風が吐出口4から吐出される。
【００２４】
同時に、空気が高圧発生器11を通過することで、必要に応じて空気にマイナスイオンが混入され、マイナスイオンが髪に供給されるようになっている。パサついた髪はプラスに帯電しており、髪に含まれる水分が奪われる状態になっている。マイナスイオンが髪に吹き付けられると、マイナスイオンが空気中の水分と結合し、髪に水分が浸透するのを促すとされている。また、マイナスイオンが静電気を中和するので、髪に水分を閉じ込めた状態を維持し、髪のうるおいを持続させるとされている。
【００２５】
例えば使用者が両手を自由に使用して髪を乾かしたい場合、ハンドル12の位置を上述の「スタンド位置」に固定し、ハンドルの背面14および第２吸気面32を下面にして、平らな安定した場所にドライヤー本体１を置くようにする。そうすると、ドライヤー本体１は吐出口4を所定の角度に向けて自立することができる。すなわち、送風方向を所定の方向に固定することができるので、使用者は両手を自由に使用して髪を乾かすことができる。
【００２６】
従来は、ドライヤー本体１とは別体の付属スタンドや脚部的な突起状の形状などを用いて、送風方向を固定していた。これに対し、本実施例のヘアードライヤーは、ハンドル12が所定の角度である「スタンド位置」で固定される際に、ハンドル背面14および第２吸気面32を同一線上面にする簡単な構成で、ドライヤー本体１が自立するようしている。すなわち、所定高さの平面に対してハンドル背面14および第２吸気面32を下面にして置くことで、送風方向が所定の角度に固定される。したがって、付属スタンドが必要ないことから、部品点数を減少させることができ、コスト低減を実現することができる。また、脚部的な突起状の形状を必要としないことから、ヘアードライヤーとしてのデザイン的な一体感を損なうことがなく、外観デザインに悪影響を及ぼすこともない。
【００２７】
本ヘアードライヤーの使用後には、電源プラグをコンセントから抜き取り、電源コードをコードリール装置７に巻き取って収納する。電源コードをコードリール装置７に巻き取るには、例えばハウジングの上部に設けられた操作釦（図示せず）を押すことで、コードリール装置７のリール18に対する制動を解除する。そうすると、ぜんまいばねの力によりリール18が電源コードの引き出し時とは逆方向に回動し、電源コードがコードリール装置７に巻き取られる。そして、ハンドル12を上述の「収納位置」まで折り畳むことで、ドライヤー本体１をコンパクトにして収納することができる。
【００２８】
以上のように、本実施例は、モーターおよびファンを有するモーター組立８と、前記ファンから送風される空気を加熱する発熱体９を有するヒーター組立10と、前記モーター組立８およびヒーター組立10の外郭を構成するハウジング２と、前記ハウジング２に折り曲げ可能に連結され、平坦なハンドル背面14を有し、折り曲げ位置の固定が可能なハンドル12と、前記ハウジング２後方に設けられ、複数の吸気面を有する吸気口３とを備え、前記複数の吸気面のうちの少なくとも一つは、平坦面であり、吸気面のラインＬ２が前記ハンドル12を所定の角度で折り曲げた位置のハンドル背面のラインＬ１と略一直線になるようにしたことにより、付属スタンドなどの別部品を使用することなく送風方向を固定するように自立することができるので、部品点数を減少させることができ、コスト低減を実現することができる。また、脚部的な突起状の形状を必要としないことから、ヘアードライヤーとしてのデザイン的な一体感を損なうことがなく、外観デザインに悪影響を及ぼすこともない。
【実施例２】
【００２９】
次に、本発明の第２実施例におけるヘアードライヤーを図４に基づき説明する。なお、上記第１実施例と同一部分には同一符号を付し、その共通する箇所の説明は重複するため省略する。また作用についても、第１実施例と同じ作用については説明を省略する。
【００３０】
第１実施例で述べたように、ドライヤー本体１は、ハウジング２内部に１つの高圧発生器11を備え、その後方にコードリール装置７を備える。本実施例では、さらにもう一つの高圧発生器41がコードリール装置７の吸気口３側後部の中心部に配置される。すなわち高圧発生器41は、コードリール装置７のリール18内部に形成される空洞の中に配置される。
【００３１】
上記構成とすることで、ドライヤー本体１の大きさを増大することなく、２つの高圧発生器11、41とコードリール装置７とを配置することができる。また、風の通り道を遮らないように高圧発生器11、41を配置することができるので、風量が減少することもない。コードリール装置７のスペースだけで十分に高圧発生器のスペースを確保することができる。こうして風の通り道に２つの高圧発生器11、41が配置されることで、ドライヤー本体１の大きさを増大することなく、高圧発生器が１つの場合に比べて、より多くのマイナスイオンを髪に供給することができる。
【００３２】
以上のように、本実施例は請求項１に対応しており、モーターおよびファンを有するモーター組立８と、前記ファンから送風される空気を加熱する発熱体９を有するヒーター組立10と、前記モーター組立８およびヒーター組立10の外郭を構成するハウジング２と、前記ハウジング２後方に設けられる吸気口３と、前記ハウジング２内に収容され、コードを巻き取るコードリール装置７と、前記ハウジング２内に収容され、マイナスイオンを発生する複数の高圧発生器11、41とを備え、前記複数の高圧発生器11、41のうちの少なくとも一つは、前記コードリール装置７の前記吸気口３側後部の中心部に配置されることで、ドライヤー本体１の大きさを増大することなく２つの高圧発生器11、41とコードリール装置７とを配置し、かつ風の通り道を遮らないので風量に影響を与えずに高圧発生器11、41を配置することができる。
【００３３】
なお、本発明は上記実施例に限定されるものではなく、本発明の趣旨を逸脱しない範囲で変更可能である。例えば、第１実施例ではハンドル12が固定される「スタンド位置」が１つであり吸気面の数が２つの場合について説明しているが、「スタンド位置」を複数個設け、吸気口３が３つ以上の吸気面を有し、送風方向が多段階に固定されるようにしてもよい。また、第２実施例では高圧発生器の数が２つの場合について説明しているが、高圧発生器が３つ以上配置されるようにしてもよい。
【符号の説明】
【００３４】
２  ハウジング
３  吸気口
７  コードリール装置
８  モーター組立
９  発熱体
１０  ヒーター組立
１１、４１  高圧発生器
【図１】
0005554668.tif 000002
【図２】
0005554668.tif 000003
【図３】
0005554668.tif 000004
【図４】
0005554668.tif 000005